(57)【要約】【課題】小型のモバイルカメラに適した撮像レンズを提供する。【解決手段】物体側から順に、所定の口径を有する開口絞りＳＤ、正の屈折率を有する両凸形状の第１レンズ１、正の屈折力を有し像面側に凸面を向けたメニスカス形状の第２レンズ２、負の屈折力を有し像面側の面が有効範囲内において曲率の向きが変化する変曲点をもつ非球面に形成された第３レンズ３を含み、第１レンズの焦点距離ｆ１、第２レンズの焦点距離ｆ２、第３レンズの焦点距離ｆ３、第２レンズと第３レンズの光軸上における空気間隔Ｄ４が、条件式（１）（｜ｆ１｜＋｜ｆ２｜＋｜ｆ３｜）／３≦３．７３、条件式（２）０．０８ｍｍ≦Ｄ４≦０．０９ｍｍを満足する。これにより、諸収差が良好に補正されて、小型化、薄型化された撮像レンズが得られる。【選択図】図１
2008096621.tif 000002
【特許請求の範囲】
【請求項１】
物体側から像面側に向けて順に配列された、
所定の口径を有する開口絞りと、
正の屈折力を有する両凸形状の第１レンズと、
正の屈折力を有し像面側に凸面を向けたメニスカス形状の第２レンズと、
負の屈折力を有し像面側の面が有効範囲内において曲率の向きが変化する変曲点をもつ非球面に形成された第３レンズと、を含み、
前記第１レンズの焦点距離をｆ１、前記第２レンズの焦点距離をｆ２、前記第３レンズの焦点距離をｆ３、前記第２レンズと前記第３レンズの光軸上における空気間隔をＤ４とするとき、下記条件式（１），（２）、
（１）（｜ｆ１｜＋｜ｆ２｜＋｜ｆ３｜）／３≦３．７３
（２）０．０８ｍｍ≦Ｄ４≦０．０９ｍｍ
を満足する、ことを特徴とする撮像レンズ。
【請求項２】
前記第１レンズ、前記第２レンズ、及び前記第３レンズは、全て樹脂材料により形成されたプラスチックレンズである、
ことを特徴とする請求項１記載の撮像レンズ。
【請求項３】
前記第１レンズ、前記第２レンズ、及び前記第３レンズは、物体側及び像面側の両面が全て非球面に形成されている、
ことを特徴とする請求項１又は２に記載の撮像レンズ。
【請求項４】
前記第１レンズ、前記第２レンズ、及び前記第３レンズは、全て同一材料により形成されている、
ことを特徴とする請求項１ないし３いずれかに記載の撮像レンズ。
【請求項５】
前記開口絞りから像面までの距離をＴＬ、前記第１レンズ〜前記第３レンズの焦点距離をｆとするとき、下記条件式（３）、
（３）ＴＬ／ｆ＜１．３２
を満足する、ことを特徴とする請求項１ないし４いずれかに記載の撮像レンズ。
【発明の詳細な説明】
【技術分野】
【０００１】
本発明は、３群３枚構成の撮像レンズに関し、特に、携帯電話機、携帯情報端末機（ＰＤＡ）、携帯型パーソナルコンピュータ、携帯型音楽プレーヤ等に搭載される小型のモバイルカメラ等に好適な撮像レンズに関する。
【背景技術】
【０００２】
従来、ＣＣＤ等の固体撮像素子を用いた電子撮像装置として、監視カメラ、ビデオカメラ等が知られており、これらは主として動画を撮影するために使用されていた。それ故に、ＣＣＤ及び撮像レンズとしては、それ程高い性能が要求されていなかった。
しかしながら、近年においては、デジタルスチルカメラ等の普及に伴い、固体撮像素子及び撮像レンズの高性能化が望まれるようになった。
その結果、ＣＣＤ等の固体撮像素子の著しい技術進歩により、フィルム式カメラの画像に近いものが得られるようになり、同時に、ＣＣＤ等の小型化、高画素化が達成されてきたため、デジタルスチルカメラ等に使用される撮像レンズとしても、高性能であると同時に小型化、薄型化、低コスト化が強く要望されるようになってきた。
【０００３】
ところで、従来の撮像レンズとしては、物体側から像面側に向けて順に配列された、正の屈折力を有するメニスカス形状の第１レンズ、所定の口径をなす開口絞り、正の屈折力を有するメニスカス形状の第２レンズ、像面側に凹面を向けた負の屈折力を有する第３レンズ、又は、物体側に凸面を向けた正の屈折力を有する第３レンズにより形成されたものが知られている（例えば、特許文献１、特許文献２参照）。
しかしながら、これらの撮像レンズにおいては、レンズ同士の間に開口絞りを配置しているため、射出瞳位置が短くなり、射出角度を小さくした上で、薄型化の点でレンズ全長を短くするのは困難である。
【０００４】
また、他の撮像レンズとしては、物体側から像面側に向けて順に配列された、所定の口径をなす開口絞り、物体側に凸面を向けた正の屈折力を有するメニスカス形状の第１レンズ、物体側に凹面を向けた負の屈折力を有するメニスカス形状の第２レンズ、物体側に凸面を向けた負の屈折力を有するメニスカス形状の第３レンズにより形成されたものが知られている（例えば、特許文献３参照）。
しかしながら、この撮像レンズにおいては、第１レンズがメニスカス形状のレンズであり、両凸形状のレンズと比べて面精度を高めるのが困難であり、又、各レンズの焦点距離のパワー配置及び第２レンズと第３レンズの間隔に関する条件が不十分であり、低コスト化、収差補正、小型化等の点で十分満足のできるものではなかった。
【０００５】
さらに、他の撮像レンズとしては、物体側から像面側に向けて順に配列された、所定の口径をなす開口絞り、物体側に凸面を向けた正の屈折力を有するメニスカス形状の第１レンズ、物体側に凹面を向けた正の屈折力を有するメニスカス形状の第２レンズ、物体側に凸面を向けた負の屈折力を有するメニスカス形状の第３レンズにより形成されたものが知られている（例えば、特許文献４参照）。
しかしながら、この撮像レンズにおいては、第１レンズがガラス材料により形成された球面レンズからなるため、低コスト化、収差補正等が十分ではなく、又、Ｆ値もそれ程小さくなく、薄型化等の点でも十分満足のできるものではなかった。
【０００６】
【特許文献１】特開２００４−１６３７８６号公報
【特許文献２】特開２００５−６２６８０号公報
【特許文献３】特開２００５−２９２２３５号公報
【特許文献４】特開２００６−８４７２０号公報
【発明の開示】
【発明が解決しようとする課題】
【０００７】
本発明は、上記のような従来技術の問題点に鑑みて成されたものであり、その目的とするところは、小型化、薄型化、軽量化、低コスト化等を図りつつ、諸収差が良好に補正され、明るくて（Ｆ値が小さくて）、光学性能が高く、携帯電話機、携帯情報端末機（ＰＤＡ）、携帯型パーソナルコンピュータ、携帯型音楽プレーヤ等に搭載されるモバイルカメラに好適な撮像レンズを提供することにある。
【課題を解決するための手段】
【０００８】
本発明の撮像レンズは、物体側から像面側に向けて順に配列された、所定の口径を有する開口絞りと、正の屈折力を有する両凸形状の第１レンズと、正の屈折力を有し像面側に凸面を向けたメニスカス形状の第２レンズと、負の屈折力を有し像面側の面が有効範囲内において曲率の向きが変化する変曲点をもつ非球面に形成された第３レンズとを含み、第１レンズの焦点距離をｆ１、第２レンズの焦点距離をｆ２、第３レンズの焦点距離をｆ３、第２レンズと第３レンズの光軸上における空気間隔をＤ４とするとき、下記条件式（１），（２）、
（１）（｜ｆ１｜＋｜ｆ２｜＋｜ｆ３｜）／３≦３．７３
（２）０．０８ｍｍ≦Ｄ４≦０．０９ｍｍ
を満足する、ことを特徴としている。
この構成によれば、第１レンズ及び第２レンズに正の屈折力、第３レンズに負の屈折力をもつようにレンズを配置することにより、適切なバックフォーカスを確保でき、赤外光カットフィルタ等を容易に配置でき、又、第３レンズの像面側の面に有効範囲内において曲率の向きが変化する変曲点をもつ非球面を形成したことにより、諸収差を良好に補正することができ、さらにレンズ全長を短縮しつつ、射出角度を抑えることができ、全体として小型化、薄型化することができる。
また、条件式（１）を満たすことで、適切にパワーを配置でき、諸収差、特に非点収差を良好に補正することができ、レンズ軸に対する製造誤差感度を小さくでき、周辺の光学性能も高く維持することができる。
さらに、条件式（２）を満たすことで、レンズ全長を短く（薄型化）することができ、諸収差、特に、非点収差、歪曲収差を良好に補正することができる。
【０００９】
上記構成において、第１レンズ、第２レンズ、及び第３レンズは、全て樹脂材料により形成されたプラスチックレンズである、構成を採用することができる。
この構成によれば、樹脂材料により形成されたプラスチックレンズを用いたことにより、生産コストの低減、軽量化が可能になり、非球面を容易に設定でき収差補正の自由度が増した分だけ、コンパクトな構成が可能になり、ガラス材料に比べて複雑な形状を容易に加工することができる。
【００１０】
上記構成において、第１レンズ、第２レンズ、及び第３レンズは、物体側及び像面側の両面が全て非球面に形成されている、構成を採用することができる。
この構成によれば、全ての面を非球面としたことにより、球面収差、非点収差、歪曲収差、倍率色収差等の諸各収差を良好に補正することができ、Ｆ値の小さく（明るく）て、光学性能の高い撮像レンズを得ることができる。
【００１１】
上記構成において、第１レンズ、第２レンズ、及び第３レンズは、全て同一材料により形成されている、構成を採用することができる。
この構成によれば、同一材料を使用することで、レンズ１つあたりの生産コストを低減することができ、又、同一材料であるが故にアッベ数が同一となり、光軸中心からの倍率色収差、軸上色収差を良好に補正でき、Ｆ値の小さい（すなわち明るい）、解像力の高い撮像レンズを得ることができる。
【００１２】
上記構成において、開口絞りから像面までの距離をＴＬ、第１レンズ〜第３レンズの焦点距離をｆとするとき、下記条件式（３）、
（３）ＴＬ／ｆ＜１．３２
を満足する、構成を採用することができる。
この構成によれば、レンズ系全長、レンズ系の外形寸法を小さくでき、小型化、薄型化を達成することができ、又、諸収差を良好に補正することができる。
【発明の効果】
【００１３】
上記構成をなす撮像レンズによれば、小型化、薄型化、軽量化、低コスト化等を達成しつつ、諸収差を良好に補正でき、明るくて（Ｆ値が小さくて）、光学性能が高く、携帯電話機、携帯情報端末機（ＰＤＡ）、携帯型パーソナルコンピュータ、携帯型音楽プレーヤ等に搭載されるモバイルカメラに好適な撮像レンズを得ることができる。
【発明を実施するための最良の形態】
【００１４】
以下、本発明の最良の実施形態について、添付図面を参照しつつ説明する。
図１及び図２は、本発明に係る撮像レンズの一実施形態を示すものであり、図１はレンズ構成図、図２は光路図である。
この撮像レンズは、図１に示すように、物体側から像面側に向けて順に配列された、所定の口径を有する開口絞りＳＤ、正の屈折力を有する両凸形状の第１レンズ１、正の屈折力を有するメニスカス形状の第２レンズ２、負の屈折力を有し像面側の面が有効範囲内において曲率の向きが変化する変曲点をもつ非球面に形成された第３レンズ３を備えている。そして、第３レンズ３の後方において、赤外光カットフィルタあるいはカバーガラス等のガラスプレート４，５が配置され、ガラスプレート５の後方にＣＣＤ等の像面Ｐが配置されるようになっている。
【００１５】
ここで、開口絞りＳＤ、第１レンズ１〜第３レンズ３、ガラスプレート４，５〜像面Ｐにおいては、図１に示すように、各々の面をＳｉ（ｉ＝０〜１０）、各々の面Ｓｉの曲率半径をＲｉ（ｉ＝０〜１０）、ｄ線に対する第ｉレンズの屈折率をＮｉ及びアッベ数をνｉ（ｉ＝１〜３）、ガラスプレート４，５の屈折率をＮｉ及びアッベ数をνｉ（ｉ＝４，５）で表す。また、開口絞りＳＤ〜像面Ｐまでのそれぞれの光軸Ｌ方向における間隔（厚さ、空気間隔）を図１に示すようにＤｉ（ｉ＝０〜１０）で表す。さらに、第１レンズ１〜第３レンズ３のレンズ系の焦点距離をｆ、第１レンズ１の焦点距離をｆ１、第２レンズ２の焦点距離をｆ２、第３レンズ３の焦点距離をｆ３、開口絞りＳＤ〜像面Ｐまでの距離（レンズ系全長）をＴＬで表す。
【００１６】
第１レンズ１は、好ましくはプラスチック材料により形成されたプラスチックレンズであり、図１に示すように、物体側の面Ｓ１が凸状でかつ像面側の面Ｓ２が凸状をなす正の屈折力をもつ両凸形状のレンズである。
ここで、面Ｓ１，Ｓ２は、好ましくは、共に非球面に形成されている。
【００１７】
第２レンズ２は、好ましくはプラスチック材料により形成されプラスチックレンズであり、図１に示すように、物体側の面Ｓ３が凹状でかつ像面側の面Ｓ４が凸状をなす正の屈折力をもつメニスカス形状のレンズである。
ここで、面Ｓ３，Ｓ４は、好ましくは、非球面に形成されている。
【００１８】
第３レンズ３は、好ましくはプラスチック材料により形成されたプラスチックレンズであり、図１に示すように、物体側の面Ｓ５が光軸Ｌ近傍において凸面に形成され、像面側の面Ｓ６が光軸Ｌ近傍において凹面及び有効範囲内において曲率の向きが変化する変曲点をもつ凸面をなす非球面に形成された負の屈折力を有するレンズである。
ここで、面Ｓ５は、好ましくは、面Ｓ６と同様に非球面に形成されている。
【００１９】
ここで、第１レンズ１〜第３レンズ３において適用される非球面は、次式により規定される。
Ｚ＝Ｃｙ２／［１＋（１−εＣ２ｙ２）１／２］＋Ｄｙ４＋Ｅｙ６＋Ｆｙ８＋Ｇｙ１０
ただし、Ｚ：光軸から高さがｙの非球面上の点の非球面頂点の接平面からの距離、ｙ：光軸からの高さ、Ｃ：非球面頂点の曲率（１／ｒ）、ε：円錐定数、Ｄ，Ｅ，Ｆ，Ｇ：非球面係数である。
【００２０】
また、上記構成に加えて、第１レンズ１の焦点距離ｆ１、第２レンズ２の焦点距離ｆ２、第３レンズ３の焦点距離ｆ３、第２レンズ２と第３レンズ３の光軸Ｌ上における空気間隔Ｄ４が、条件式（１），（２）、
（１）（｜ｆ１｜＋｜ｆ２｜＋｜ｆ３｜）／３≦３．７３
（２）０．０８ｍｍ≦Ｄ４≦０．０９ｍｍ
を満足するように形成されている。
条件式（１）は、各レンズの焦点距離に関して規定したものである。（｜ｆ１｜＋｜ｆ２｜＋｜ｆ３｜）／３の値が上限を超えると、焦点距離のパワーが片寄り、非点収差の補正が困難となり、レンズの光軸Ｌに対する製造誤差感度が高くなってしまい、レンズの周辺性能を維持するのが困難になってしまう。
したがって、（｜ｆ１｜＋｜ｆ２｜＋｜ｆ３｜）／３の値が条件式（１）を満たすことで、適切にパワーを配置でき、諸収差、特に非点収差を良好に補正することができ、レンズ軸に対する製造誤差感度を小さくでき、周辺の光学性能も高く維持することができる。
条件式（２）は、第２レンズ２と第３レンズ３の光軸Ｌ上における間隔Ｄ４を規定したものである。Ｄ４の値が下限を超えると、非点収差の補正が困難になり、一方、Ｄ４の値が上限を超えると、レンズの全長が長くなり、さらには歪曲収差の補正が困難になる。
したがって、Ｄ４の値が条件式（２）を満たすことで、レンズ全長を短く（薄型化）することができ、諸収差、特に、非点収差、歪曲収差を良好に補正することができる。
【００２１】
すなわち、上記構成をなす撮像レンズによれば、第１レンズ１及び第２レンズ２に正の屈折力、第３レンズ３に負の屈折力をもつようにレンズを配置することにより、適切なバックフォーカスを確保でき、赤外光カットフィルタ等を容易に配置でき、又、第３レンズ３の像面側の面Ｓ６に有効範囲内において曲率の向きが変化する変曲点をもつ非球面を形成したことにより、諸収差を良好に補正することができ、さらにレンズ全長を短縮しつつ、射出角度を抑えることができ、全体として小型化、薄型化することができる。また、特に非点収差、歪曲収差を良好に補正することができ、レンズ軸に対する製造誤差感度を小さくでき、周辺の光学性能も高く維持することができる。
【００２２】
上記構成においては、第１レンズ１、第２レンズ２、及び第３レンズ３として、好ましくは、全て樹脂材料により形成されたプラスチックレンズが採用される。
これによれば、生産コストの低減、軽量化が可能になり、非球面を容易に設定でき収差補正の自由度が増した分だけ、コンパクトな構成が可能になり、ガラス材料に比べて複雑な形状を容易に加工することができる。
【００２３】
また、上記構成においては、第１レンズ１、第２レンズ２、及び第３レンズ３の物体側及び像面側の両面Ｓ１，Ｓ２、Ｓ３，Ｓ４、Ｓ５，Ｓ６が、好ましくは、全て非球面に形成される。
このように、全ての面を非球面としたことにより、球面収差、非点収差、歪曲収差、倍率色収差等の諸各収差を良好に補正することができ、Ｆ値の小さく（明るく）て、光学性能の高い撮像レンズを得ることができる。
【００２４】
また、上記構成においては、第１レンズ１、第２レンズ２、及び第３レンズ３は、好ましくは、全て同一材料により形成される。
このように、全てのレンズに同一材料を使用することで、レンズ１つあたりの生産コストを低減することができ、又、同一材料であるが故にアッベ数が同一となり、光軸中心からの倍率色収差、軸上色収差を良好に補正でき、Ｆ値の小さい（すなわち明るい）、解像力の高い撮像レンズを得ることができる。
【００２５】
さらに、上記構成の撮像レンズにおいては、開口絞りＳＤから像面Ｐまでの距離（レンズ系全長）ＴＬ及び第１レンズ１〜第３レンズ３の焦点距離ｆが、好ましくは、下記条件式（３）
（３）ＴＬ／ｆ＜１．３２
を満足するように形成される。
条件式（３）は、レンズ系全長ＴＬとレンズ系の焦点距離ｆの比を規定したものである。ＴＬ／ｆの値が上限を超えると、レンズ全長が長くなり、さらに歪曲収差の補正が困難になってしまう。したがって、ＴＬ／ｆの値が条件式（３）を満たすことで、レンズ系全長、レンズ系の外形寸法を小さくでき、小型化、薄型化を達成することができ、又、諸収差を良好に補正することができる。
【００２６】
次に、上記撮像レンズの具体的な数値による実施例を、実施例１、実施例２として以下に示す。
【実施例１】
【００２７】
実施例１における条件式（１）〜（３）の数値データ、第１レンズ１〜第３レンズ３、及びガラスプレート４，５の主な仕様諸元、種々の数値データ（設定値）は以下の通りである。また、実施例１における球面収差、非点収差、歪曲収差、倍率色収差の諸収差は、図３に示すような結果となる。尚、図３中の非点収差おいて、Ｓはサジタル平面での収差、Ｍはメリジオナル平面での収差を示す。
この実施例１においては、第１レンズ１〜第３レンズ３が全てプラスチックレンズとして形成され、第１レンズ１の両面Ｓ１，Ｓ２、第２レンズ２の両面Ｓ３，Ｓ４、及び第３レンズ３の両面Ｓ５，Ｓ６が非球面に形成されている。
【００２８】
＜条件式の値＞
（１）（｜ｆ１｜＋｜ｆ２｜＋｜ｆ３｜）／３＝（｜３．６９｜＋｜３．７６｜＋｜−３．７４｜）／３  →  ３．７３≦３．７３
（２）０．０８ｍｍ≦Ｄ４≦０．０９ｍｍ  →  ０．０８ｍｍ≦０．０９ｍｍ≦０．０９ｍｍ
（３）ＴＬ／ｆ＜１．３２  →  ４．６５／３．５３＜１．３２  →  １．３１７＜１．３２
【００２９】
＜仕様諸元＞
物体距離＝６０ｃｍ、第１レンズ１〜第３レンズ３のレンズ系の焦点距離ｆ＝３．５３ｍｍ、第１レンズ１の焦点距離ｆ１＝３．６９ｍｍ、第２レンズ２の焦点距離ｆ２＝３．７６ｍｍ、第３レンズ３の焦点距離ｆ３＝−３．７４ｍｍ、Ｆナンバー（ＦＮｏ．）＝２．８７、射出瞳位置＝−３．４６ｍｍ、最外角光線の射出角度＝−２２．５°、レンズ系全長（開口絞りＳＤ〜像面Ｐ）＝４．６５ｍｍ、レンズ全長（開口絞りＳＤ〜第３レンズ３の後面Ｓ６）＝３．０４ｍｍ、バックフォーカス＝０．７３８ｍｍ、画角（２ω）＝６４．０°、ディストーション（歪曲収差）（ａｔ６００ｍｍ）＝０．２パーセント、第１レンズ１の外径寸法＝１．５８ｍｍ、第２レンズ２の外径寸法＝２．２５ｍｍ、第３レンズ３の外径寸法＝３．８０ｍｍ
【００３０】
＜曲率半径＞
Ｒ０＝∞（開口絞りＳＤ）、Ｒ１＝１．９５０ｍｍ（非球面）、Ｒ２＝−３００．０００ｍｍ（非球面）、Ｒ３＝−１．０２２ｍｍ（非球面）、Ｒ４＝−０．８１３ｍｍ（非球面）、Ｒ５＝３．６３８ｍｍ（非球面）、Ｒ６＝１．１８４ｍｍ（非球面）、Ｒ７＝∞、Ｒ８＝∞、Ｒ９＝∞、Ｒ１０＝∞
【００３１】
＜光軸上の間隔＞
Ｄ０＝０．０００ｍｍ、Ｄ１＝０．６００ｍｍ、Ｄ２＝０．９７９ｍｍ、Ｄ３＝０．６１５ｍｍ、Ｄ４＝０．０９０ｍｍ、Ｄ５＝０．７５３ｍｍ、Ｄ６＝０．７３８ｍｍ、Ｄ７＝０．３００ｍｍ、Ｄ８＝０．１２５ｍｍ、Ｄ９＝０．４００ｍｍ、Ｄ１０＝０．０４５ｍｍ
【００３２】
＜屈折率（Ｎｉ）＞
Ｎ１＝１．５２５、Ｎ２＝１．５２５、Ｎ３＝１．５２５、Ｎ４＝１．５１７、Ｎ５＝１．５１７
＜アッベ数（νｉ）＞
ν１＝５６．３、ν２＝５６．３、ν３＝５６．３、ν４＝６４．２、ν５＝６４．２
【００３３】
＜非球面係数の数値データ＞
＜Ｓ１面＞
ε＝−１．０１４×１０−２、Ｄ＝−２．０９５×１０−２、Ｅ＝−３．９４９×１０−３、Ｆ＝２．０７９×１０−３、Ｇ＝−２．８５２×１０−２
＜Ｓ２面＞
ε＝−３．５７６×１０−２、Ｄ＝−２．７７８×１０−２、Ｅ＝−９．６７７×１０−３、Ｆ＝−７．２８３×１０−３、Ｇ＝−９．３３２×１０−３
＜Ｓ３面＞
ε＝−３．５０２×１０−１、Ｄ＝１．５４１×１０−１、Ｅ＝２．２６９×１０−１、Ｆ＝−１．５４２×１０−１、Ｇ＝１．５０８×１０−２
＜Ｓ４面＞
ε＝１．３９４×１０−１、Ｄ＝−１．７４７×１０−１、Ｅ＝２．０８５×１０−１、Ｆ＝−４．７４６×１０−２、Ｇ＝−１．２４９×１０−３
＜Ｓ５面＞
ε＝−１．０５３×１０−１、Ｄ＝５．６３１×１０−２、Ｅ＝−２．２２８×１０−２、Ｆ＝２．６７６×１０−３、Ｇ＝７．８９７×１０−５
＜Ｓ６面＞
ε＝−６．５６６×１０−２、Ｄ＝２．４０５×１０−２、Ｅ＝−６２４９×１０−３、Ｆ＝４．７７９×１０−４、Ｇ＝−１．０２８×１０−６
【００３４】
上記実施例１においては、レンズ系全長ＴＬが４．６５ｍｍと短く、Ｆ値（Ｆナンバー）が２．８７と小さくて明るく、所望の解像力を確保でき、周辺光量等の光学性能の劣化を招くことなく、図３に示すように諸収差が良好に補正されて高い光学性能を有し、携帯電話機、携帯型パーソナルコンピュータ、携帯型音楽プレーヤ等に搭載されるモバイルカメラに適した小型の撮像レンズが得られた。
【実施例２】
【００３５】
実施例２における条件式（１）〜（３）の数値データ、第１レンズ１〜第３レンズ３、及びガラスプレート４，５の主な仕様諸元、種々の数値データ（設定値）は以下の通りである。また、実施例２における球面収差、非点収差、歪曲収差、倍率色収差の諸収差は、図４に示すような結果となる。尚、図４中の非点収差において、Ｓはサジタル平面での収差、Ｍはメリジオナル平面での収差を示す。
この実施例２においては、第１レンズ１〜第３レンズ３が全てプラスチックレンズとして形成され、第１レンズ１の両面Ｓ１，Ｓ２、第２レンズ２の両面Ｓ３，Ｓ４及び第３レンズ３の両面Ｓ５，Ｓ６が非球面に形成されている。
【００３６】
＜条件式の値＞
（１）（｜ｆ１｜＋｜ｆ２｜＋｜ｆ３｜）／３＝（｜３．６９｜＋｜３．７６｜＋｜−３．７４｜）／３  →  ３．７３≦３．７３
（２）０．０８≦Ｄ３≦０．０９  →  ０．０８≦０．０９≦０．０９
（３）１．３０＜ＴＬ／ｆ＜１．３２＝１．３０＜４．６４／３．５２＜１．３２  →  １．３０＜１．３１５＜１．３２
【００３７】
＜仕様諸元＞
物体距離＝６０ｃｍ、第１レンズ１〜第３レンズ３のレンズ系の焦点距離ｆ＝３．５２ｍｍ、第１レンズ１の焦点距離ｆ１＝３．６９ｍｍ、第２レンズ２の焦点距離ｆ２＝３．７６ｍｍ、第３レンズ３の焦点距離ｆ３＝−３．７４ｍｍ、Ｆナンバー（ＦＮｏ．）＝２．８８、射出瞳位置＝−３．４６ｍｍ、最外角光線の射出角度＝−２５．０°、レンズ系全長（開口絞りＳＤ〜像面Ｐ）＝４．６３ｍｍ、レンズ全長（開口絞りＳＤ〜第３レンズ３の後面Ｓ６）＝３．０２ｍｍ、バックフォーカス＝０．７４５ｍｍ、画角（２ω）＝６４．０°、ディストーション（歪曲収差）（ａｔ６００ｍｍ）＝０．１１パーセント、第１レンズ１の外径寸法＝１．５９ｍｍ、第２レンズ２の外径寸法＝２．２７ｍｍ、第３レンズ３の外径寸法＝３．７９ｍｍ
【００３８】
＜曲率半径＞
Ｒ０＝∞（開口絞りＳＤ）、Ｒ１＝１．９５０ｍｍ（非球面）、Ｒ２＝−３００．０００ｍｍ（非球面）、Ｒ３＝−１．０２２ｍｍ（非球面）、Ｒ４＝−０．８１３ｍｍ（非球面）、Ｒ５＝３．６２４ｍｍ（非球面）、Ｒ６＝１．１８３ｍｍ（非球面）、Ｒ７＝∞、Ｒ８＝∞、Ｒ９＝∞、Ｒ１０＝∞
【００３９】
＜光軸上の間隔＞
Ｄ０＝０．０００ｍｍ、Ｄ１＝０．６００ｍｍ、Ｄ２＝０．９６７ｍｍ、Ｄ３＝０．６１５ｍｍ、Ｄ４＝０．０９０ｍｍ、Ｄ５＝０．７５６ｍｍ、Ｄ６＝０．７５６ｍｍ、Ｄ７＝０．３００ｍｍ、Ｄ８＝０．１２５ｍｍ、Ｄ９＝０．４００ｍｍ、Ｄ１０＝０．０４５ｍｍ
【００４０】
＜屈折率（Ｎｉ）＞
Ｎ１＝１．５２５、Ｎ２＝１．５２５、Ｎ３＝１．５２５、Ｎ４＝１．５１７、Ｎ５＝１．５１７
＜アッベ数（νｉ）＞
ν１＝５６．３、ν２＝５６．３、ν３＝５６．３、ν４＝６４．２、ν５＝６４．２
【００４１】
＜非球面係数の数値データ＞
＜Ｓ１面＞
ε＝−９．０５７×１０−３、Ｄ＝−２．０３３×１０−２、Ｅ＝−３．４９６×１０−３、Ｆ＝２．５４４×１０−３、Ｇ＝−２．７９９×１０−２
＜Ｓ２面＞
ε＝−３．４２３×１０−２、Ｄ＝−２．６３９×１０−２、Ｅ＝−９．２１２×１０−３、Ｆ＝−２．６０４×１０−３、Ｇ＝−９．１７６×１０−３
＜Ｓ３面＞
ε＝−３．５１７×１０−１、Ｄ＝−１．７４８×１０−１、Ｅ＝２．２７１×１０−１、Ｆ＝−１．５４０×１０−１、Ｇ＝１．５０５×１０−２
＜Ｓ４面＞
ε＝１．３９８×１０−１、Ｄ＝−１．７４８×１０−１、Ｅ＝２．０８３×１０−１、Ｆ＝−４．７６８×１０−２、Ｇ＝−１．３７１×１０−３
＜Ｓ５面＞
ε＝−１．０５３×１０−１、Ｄ＝５．６２８×１０−２、Ｅ＝−２．２２８×１０−２、Ｆ＝２．６７５×１０−３、Ｇ＝７．８２３×１０−５
＜Ｓ６面＞
ε＝−６．６０６×１０−２、Ｄ＝２．４０３×１０−２、Ｅ＝−６．２４２×１０−３、Ｆ＝４．８０９×１０−４、Ｇ＝−４．８３６×１０−８
【００４２】
上記実施例２においては、レンズ系全長ＴＬが４．６３ｍｍと短く、Ｆ値（Ｆナンバー）が２．８８と小さくて明るく、所望の解像力を確保でき、周辺光量等の光学性能の劣化を招くことなく、図４に示すように諸収差が良好に補正されて高い光学性能を有し、携帯電話機、携帯型パーソナルコンピュータ、携帯型音楽プレーヤ等に搭載されるモバイルカメラに適した小型の撮像レンズが得られた。
【産業上の利用可能性】
【００４３】
以上述べたように、本発明の撮像レンズは、小型化、薄型化、軽量化、低コスト化等を達成しつつ、諸収差が良好に補正でき、明るくて（Ｆ値が小さくて）光学性能が高いため、携帯電話機、携帯型パーソナルコンピュータ、携帯型音楽プレーヤ等に搭載されるモバイルカメラに適用できるのは勿論のこと、デジタルカメラ、携帯型に限らず固定式のカメラ、その他のレンズ光学系においても有用である。
【図面の簡単な説明】
【００４４】
【図１】本発明に係る撮像レンズの一実施形態を示すレンズ構成図である。
【図２】図１に示す撮像レンズの光路図である。
【図３】実施例１における球面収差、非点収差、歪曲収差、倍率色収差を示す収差図である。
【図４】実施例２における球面収差、非点収差、歪曲収差、倍率色収差を示す収差図である。
【符号の説明】
【００４５】
ＳＤ  開口絞り
１  第１レンズ
２  第２レンズ
３  第３レンズ
４，５  ガラスプレート
Ｐ  像面
Ｌ  光軸
ｆ  レンズ系の焦点距離
ｆ１  第１レンズの焦点距離
ｆ２  第２レンズの焦点距離
ｆ３  第３レンズの焦点距離
Ｄ４  第２レンズと第３レンズの光軸上における空気間隔
ＴＬ  開口絞り〜像面までの距離（レンズ系全長）
【図１】
2008096621.tif 000003
【図２】
2008096621.tif 000004
【図３】
2008096621.tif 000005
【図４】
2008096621.tif 000006